(57)【要約】【課題】データ信号と放送信号とが混在した光伝送路について、ラマンクロストークの影響を容易に低減する分散補償制御装置、システム及びプログラムを提供する。【解決手段】分散補償制御装置は、制御信号によって分散補償装置の分散量を可変する。分散補償制御装置は、アナログ放送信号に基づく光信号における特定周波数成分だけをフィルタリングするフィルタ部と、搬送波レベルに対する、フィルタされた受信信号レベルの比を算出するレベル比算出部と、レベル比と第１の閾値との差から現差分情報を算出する差分情報算出部と、現差分情報を一時的に蓄積し、前差分情報を出力するメモリ部と、現差分情報と前差分情報とを比較する比較部と、現差分情報≦前差分情報であれば、分散量を大きくする制御信号を生成する第１の制御信号生成部と、そうでなければ、分散補償装置の分散量を小さくする制御信号を生成する第２の制御信号生成部とを有する。【選択図】図８
2008236480.tif 000002
【特許請求の範囲】
【請求項１】
波長分割多重受信装置に接続されており、制御信号によって分散量を可変設定することができる分散補償装置と通信可能な分散補償制御装置であって、
アナログ放送信号に基づく光信号における特定周波数成分だけをフィルタリングするフィルタ手段と、
前記アナログ放送信号に基づく前記光信号の搬送波レベルに対する、前記フィルタ手段から出力された受信信号レベルの比を算出するレベル比算出手段と、
レベル比と第１の閾値との差から現差分情報を算出する差分情報算出手段と、
前記現差分情報を一時的に蓄積し、前差分情報を出力するメモリ手段と、
前記差分情報算出手段から出力された前記現差分情報と、前記メモリ手段から出力された前記前差分情報とを比較する比較手段と、
前記現差分情報≦前記前差分情報の場合に、前記分散補償装置の分散量を大きくする旨の制御信号を生成する第１の制御信号生成手段と、
前記現差分情報＞前記前差分情報の場合に、前記分散補償装置の分散量を小さくする旨の制御信号を生成する第２の制御信号生成手段と
を有することを特徴とする分散補償制御装置。
【請求項２】
前記レベル比算出手段から出力されたレベル比が、第２の閾値未満又は以上であるかを判定する閾値判定手段と、
判定結果が、第２の閾値未満であれば、前記分散量を維持する旨の前記制御信号を生成する第３の制御信号生成手段と
を更に有し、
前記閾値判定手段は、前記判定結果が、第２の閾値以上であれば、前記差分情報算出手段へ前記レベル比を出力することを特徴とする請求項１に記載の分散補償制御装置。
【請求項３】
前記フィルタ手段は、ラマンクロストーク成分周波数についてフィルタリングすることを特徴とする請求項１又は２に記載の分散補償制御装置。
【請求項４】
前記光伝送路を介して前記制御信号を前記分散補償装置へ送信するために、前記制御信号に対する電気−光変換手段と、
前記制御信号に基づく光信号を、前記分散補償装置へ送信する波長合波手段と
を更に有することを特徴とする請求項１から３のいずれか１項に記載の分散補償制御装置。
【請求項５】
請求項４に記載の分散補償制御装置と通信する分散補償装置であって、
前記制御信号に基づく光信号を分離するサーキュレータ手段と、
前記制御信号に基づく光信号を電気信号に変換する光−電気変換手段と
を更に有し、
前記電気信号の前記制御信号に基づいて前記分散量を可変設定することを特徴とする分散補償装置。
【請求項６】
波長分割多重送信装置と波長分割多重受信装置との間に接続された光伝送路に、前記分散補償装置が接続されており、請求項１から４のいずれか１項に記載の分散補償制御装置が前記波長分割多重受信装置に接続されているシステムであって、
前記光伝送路には、ギガビットイーサネット信号又はファイバチャネル信号に基づく光信号と、アナログ放送信号に基づく光信号とが波長分割多重されて伝送されていることを特徴とするシステム。
【請求項７】
前記波長分割多重送信装置と前記波長分割多重受信装置との間の光伝送路は、現用系光伝送路と予備系光伝送路とによって冗長的に構成されており、
前記分散補償装置が、前記予備系光伝送路に接続されている
ことを特徴とする請求項６に記載のシステム。
【請求項８】
制御信号によって分散量を可変設定することができる分散補償装置と通信可能な波長分割多重受信装置に搭載されたコンピュータを機能させる分散補償制御プログラムであって、
アナログ放送信号に基づく光信号における特定周波数成分だけをフィルタリングするフィルタ手段と、
前記アナログ放送信号に基づく前記光信号の搬送波レベルに対する、前記フィルタ手段から出力された受信信号レベルの比を算出するレベル比算出手段と、
レベル比と第１の閾値と差から現差分情報を算出する差分情報算出手段と、
前記現差分情報を一時的に蓄積し、前差分情報を出力するメモリ手段と、
前記差分情報算出手段から出力された前記現差分情報と、前記メモリ手段から出力された前記前差分情報とを比較する比較手段と、
前記現差分情報≦前記前差分情報の場合に、前記分散補償装置の分散量を大きくする旨の制御信号を生成する第１の制御信号生成手段と、
前記現差分情報＞前記前差分情報の場合に、前記分散補償装置の分散量を小さくする旨の制御信号を生成する第２の制御信号生成手段と
してコンピュータを機能させることを特徴とする分散補償制御プログラム。
【請求項９】
前記レベル比算出手段から出力されたレベル比が、第２の閾値未満又は以上であるかを判定する閾値判定手段と、
判定結果が、第２の閾値未満であれば、前記分散量を維持する旨の前記制御信号を生成する第３の制御信号生成手段と
してコンピュータを更に機能させ、
前記閾値判定手段は、前記判定結果が、第２の閾値以上であれば、前記差分情報算出手段へ前記レベル比を出力するようにコンピュータを機能させることを特徴とする請求項８に記載の分散補償制御プログラム。
【請求項１０】
前記フィルタ手段は、ラマンクロストーク成分周波数についてフィルタリングすることを特徴とする請求項８又は９に記載の分散補償制御プログラム。
【発明の詳細な説明】
【技術分野】
【０００１】
本発明は、ラマンクロストークを低減させる分散補償装置又はシステムに関する。
【背景技術】
【０００２】
メトロエリアネットワークには、ギガビットイーサネット(Giga bit Ethernet)信号（「イーサネット」は登録商標）又はファイバチャネル(Fiber Channel)信号のフレームが、そのまま伝送される。即ち、それらフレームは、ＳＤＨ(Synchronous Digital Hierarchy, ITU-T G707)／ＳＯＮＥＴ(Synchronous Optical NETwork, ANSI T1.105)又はＯＴＮ(Optical Transport Network, ITU-T G.709)のフレームにマッピングされない。
【０００３】
一方、近年の急速な光アクセスネットワークの拡充に伴って、アナログ放送信号に基づく光信号を、光ファイバを介して配信するニーズも顕在化している。ここで、放送サービスを迅速且つ安価に提供するために、通信用光信号と放送用光信号を別波長で伝送する波長分割多重（ＷＤＭ：Wavelength Division Multiplexing）が用いられる(例えば特許文献１参照)。
【０００４】
図１は、従来技術におけるメトロエリアネットワークのシステム構成図である。
【０００５】
メトロエリアネットワーク５には、複数のＷＤＭ装置が接続されている。説明を容易にするために、ＷＤＭ送信装置２及びＷＤＭ受信装置３として説明する。図１によれば、ＷＤＭ送信装置２は、ギガビットイーサネット信号（又はファイバチャネル信号）をインターネットから受信し、且つ、アナログ放送信号を放送局から受信している。そして、ＷＤＭ送信装置２は、メトロエリアネットワーク５へ、ギガビットイーサネット信号に基づく光信号と、アナログ放送波に基づく光信号とを、波長分割多重化して送信する。
【０００６】
図１によれば、メトロエリアネットワーク５は、現用系光伝送路５０１及び予備系光伝送路５１１を用いて、冗長的に２ルートに構成されている。通常、現用系光伝送路５０１が用いられており、その現用系光伝送路５０１に障害が発生した際に、予備系光伝送路５１１へ切り替えられる。
【０００７】
現用系光伝送路５０１は、実質的な光伝送路であるシングルモードファイバ５０２(ＳＭＦ：Single Mode Fiber)によって構成され、更に、プリ分散補償ファイバ５０３（ＤＣＦ：Dispersion Compensation Fiber）が接続される。プリ分散補償ファイバ５０３は、シングルモードファイバ５０２の分散を保証するためのファイバである。プリ分散補償ファイバ５０３は、実質的な光伝送路ではなく、シングルモードファイバ５０２の分散に対して逆符号となる同程度の分散を付加する。これによって、波形劣化を防ぐ。
【０００８】
予備系光伝送路５１１も、現用系光伝送路５０１と同様に、シングルモードファイバ５１２によって構成され、更に、プリ分散補償ファイバ５１３を備える。
【０００９】
図１によれば、ＷＤＭ送信装置２は、ギガビットイーサネット信号用に電気−光変換部２０１及び光変調部２０２を有し、アナログ放送信号用に電気−光変換部２１１及び光変調部２１２を有する。
【００１０】
電気−光変換部２０１は、電気的なギガビットイーサネット信号を、無変調状態の光信号に変換する。ギガビットイーサネット信号に基づく光信号は、光変調部２０２へ出力される。光変調部２０２は、無変調状態のその光信号に対して、ギガビットイーサネット信号の信号送出パターンとなるように、変調を施す。変調された光信号は、波長合波部２２０へ出力される。
【００１１】
電気−光変換部２１１は、電気的なアナログ放送信号を、無変調状態の光信号に変換する。アナログ放送信号に基づく光信号は、光変調部２１２へ出力される。光変調部２１２は、無変調状態のその光信号に対して、アナログ放送信号の信号送出パターンとなるように、変調を施す。変調された光信号は、波長合波部２２０へ出力される。
【００１２】
波長合波部２２０は、光変調部２０２から入力されたギガビットイーサネット信号の変調成分を持つ光信号と、光変調部２１２から入力されたアナログ放送信号の変調成分を持つ光信号とを、合波する。合波された光信号は、メトロエリアネットワーク５へ送信される。
【００１３】
図１によれば、ＷＤＭ受信装置３は、波長分波部３２０と、ギガビットイーサネット信号用に光−電気変換部３０１及び光変調部３０２と、アナログ放送信号用に光−電気変換部３１１及び光変調部３１２とを有する。
【００１４】
波長分波部３２０は、現用系光伝送路５０１又は予備系光伝送路５１１から受信した光信号を分波する。図１によれば、ギガビットイーサネット信号に基づく光信号と、アナログ放送信号に基づく光信号とに分波される。
【００１５】
光復調部３０２は、波長分波部３２０から入力されたギガビットイーサネット信号に基づく光信号を復調する。復調された光信号は、光−電気変換部３０１に出力される。光−電気変換部３０１は、ギガビットイーサネット信号に基づく光信号を、電気信号に変換する。
【００１６】
光復調部３１２は、波長分波部３２０から入力されたアナログ放送信号に基づく光信号を復調する。ここで、アナログ放送信号の光レベルが一定になるように調整される。復調された光信号は、光−電気変換部３１１に出力される。光−電気変換部３１１は、アナログ放送信号に基づく光信号を、電気信号に変換する。
【００１７】
ここで、信号間干渉の問題が発生する。ＷＤＭを用いて、データ信号に基づく光信号と放送信号に基づく光信号とを同時伝送した場合、一般に、両信号の間でラマンクロストークが発生する。図１によれば、アナログ放送信号に基づく光信号が、ギガビットイーサネット信号に基づく光信号によってラマンクロストークの影響を受けることとなる。
【００１８】
図２は、ラマンクロストークの原理説明図である。
【００１９】
図２によれば、光伝送路への入力について、２波長の光信号の波形ならびに光スペクトルの位置関係が示されている。この場合、ラマン効果の現象を分かり易く説明するため、例としてアナログ放送信号を波長１の無変調信号で模擬し、ギガビットイーサネット信号を波長２のトーン変調信号で模擬している。
【００２０】
これに対し、光伝送路からの出力については、光伝送路中で発生したラマン効果により、各波長のパワーレベルが変化していることが示されている。ラマン効果では、１００ｎｍ以内の波長間隔の時に、短波長側から長波長側の信号へエネルギーが遷移することが知られている。図２によれば、短波長側のギガビットイーサネット信号のパワーが長波長側のアナログ放送信号に遷移していることが理解できる。
【００２１】
前述のラマン効果に加え、分散の影響によりアナログ放送信号に基づく波長λ１の光信号と、データ信号に基づく波長λ２の光信号との間にはwalk-offの効果が生じる。そのため、結果的にラマンクロストークが特定の周波数において著しく低減することが知られている。
【００２２】
図３は、ギガビットイーサネット信号のアイドルパターンの波形図である。
【００２３】
縦軸は、光強度のパワーを表し、横軸は、時間を表す。ギガビットイーサネット信号は、無信号状態について２０ｂｉｔの繰り返しのアイドルパターンを伝送する。また、ファイバチャネル信号は、無信号状態について４０ｂｉｔの繰り返しのアイドルパターンを伝送する。
【００２４】
図４は、図３の波形に対するＲＦスペクトル図である。
【００２５】
縦軸は、光強度のパワーを表し、横軸は、ＲＦ周波数を表す。図３に表されギガビットイーサネット信号のアイドルパターンは、６２．５ＭＨｚ間隔で急峻なスペクトルを持つ。この６２．５ＭＨｚ周期のピークは、アナログ放送信号に基づく光信号を劣化させる。
【００２６】
尚、ファイバチャネル信号のアイドルパターンは、２６．５６２５ＭＨｚ間隔で急峻なスペクトルを持つ。
【００２７】
図５は、従来技術における具体的な周波数分布図である。
【００２８】
図５によれば、アナログ放送波、アイドル状態のファイバチャネル（１．０６２５Ｇｂｉｔ／ｓ）及びアイドル状態のギガビットイーサネット信号（１．２５Ｇｂｉｔ／ｓ）のＲＦ周波数分布を表す。縦軸は、ＲＦパワーであり、横軸は、ＲＦ周波数である。
【００２９】
例えば、アナログ放送信号によれば、ＶＨＦの３ｃｈのＲＦ周波数は９６〜１０２ＭＨｚであり、ＶＨＦの６ｃｈのＲＦ周波数帯は１８２〜１８８ＭＨｚである。これに対し、ギガビットイーサネット信号では、ＲＦ周波数１８７．５（＝６２．５×３）（ＭＨｚ）にアイドルパターンのピークスペクトルがある。これは、ＶＨＦの６ｃｈに影響する。他方、ファイバチャネル信号では、ＲＦ周波数１０６．３（＝４×２６．５６２５）（ＭＨｚ）及び１８５．９（＝７×２６．５６２５）（ＭＨｚ）にアイドルパターンのピークスペクトルがある。これらは、ＶＨＦの３ｃｈ及び６ｃｈに影響する。
【００３０】
図６は、ラマンクロストークの影響が大きい場合のスペクトル図である。
【００３１】
縦軸がラマンクロストーク[dB]を表し、横軸が周波数を表す。図６によれば、１８７．５ＭＨｚについて−７２ｄＢの影響を受けている。
【００３２】
図７は、ラマンクロストークの影響が小さい場合のスペクトル図である。
【００３３】
縦軸がラマンクロストーク[dB]を表し、横軸が周波数を表す。図７によれば、１８７．５ＭＨｚについて−８８ｄＢの影響しか受けていない。
【００３４】
図５で説明したように、ギガビットイーサネット信号（又はファイバチャネル信号）のアイドルパターンが、アナログ放送信号の特定のチャネルに対して、ラマンクロストークの影響を及ぼすこととなる。また、図６及び図７で説明したように、特定のチャネルのアナログ放送信号の波長に対して、ギガビットイーサネット信号の波長配置を最適化することによって、ラマンクロストークの影響を低減することができることも理解できる。波長配置の最適化は、伝送路構成が大きく影響する。
【００３５】
例えば、図１に表されたように、光伝送路が２ルートに冗長化されている場合、現用系光伝送路５０１について、ラマンクロストークを十分に低減するように設定することは可能である。しかしながら、現用系光伝送路５０１に障害が発生し、予備系光伝送路５１１に切り替えられた場合、通常、その波長配置が最適とならない場合がある。
【００３６】
しかしながら、予備系光伝送路への切り替えの毎に、波長配置を最適化することは現実的でない。
【００３７】
図１によれば、予備系光伝送路５１１には、分散補償装置１が接続されている。分散補償装置１は、分散量を可変設定することができ、波長配置を最適化することができる。一般に、手動操作によって最適な分散量に調整する（例えば非特許文献１参照）。
【００３８】
【特許文献１】特開２００５−２２９５８１号公報
【非特許文献１】富士通、「可変分散補償器」、[online]、[平成１９年２月１４日検索]、インターネット＜URL:http://pr.fujitsu.com/jp/news/2004/01/27.html＞
【発明の開示】
【発明が解決しようとする課題】
【００３９】
そこで、本発明は、データ信号と放送信号とが混在した光伝送路について、ラマンクロストークの影響を容易に低減することができる分散補償制御装置、システム及びプログラムを提供することを目的とする。
【課題を解決するための手段】
【００４０】
本発明によれば、波長分割多重受信装置に接続されており、制御信号によって分散量を可変設定することができる分散補償装置と通信可能な分散補償制御装置であって、
アナログ放送信号に基づく光信号における特定周波数成分だけをフィルタリングするフィルタ手段と、
アナログ放送信号に基づく光信号の搬送波レベルに対する、フィルタ手段から出力された受信信号レベルの比を算出するレベル比算出手段と、
レベル比と第１の閾値との差から現差分情報を算出する差分情報算出手段と、
現差分情報を一時的に蓄積し、前差分情報を出力するメモリ手段と、
差分情報算出手段から出力された現差分情報と、メモリ手段から出力された前差分情報とを比較する比較手段と、
現差分情報≦前差分情報の場合に、分散補償装置の分散量を大きくする旨の制御信号を生成する第１の制御信号生成手段と、
現差分情報＞前差分情報の場合に、分散補償装置の分散量を小さくする旨の制御信号を生成する第２の制御信号生成手段と
を有することを特徴とする。
【００４１】
本発明の分散補償制御装置における他の実施形態によれば、
レベル比算出手段から出力されたレベル比が、第２の閾値未満又は以上であるかを判定する閾値判定手段と、
判定結果が、第２の閾値未満であれば、分散量を維持する旨の制御信号を生成する第３の制御信号生成手段と
を更に有し、
閾値判定手段は、判定結果が、第２の閾値以上であれば、差分情報算出手段へレベル比を出力することも好ましい。
【００４２】
本発明の分散補償制御装置における他の実施形態によれば、フィルタ手段は、ラマンクロストーク成分周波数についてフィルタリングすることも好ましい。
【００４３】
本発明の分散補償制御装置における他の実施形態によれば、
光伝送路を介して制御信号を分散補償装置へ送信するために、制御信号に対する電気−光変換手段と、
制御信号に基づく光信号を、分散補償装置へ送信する波長合波手段と
を更に有することも好ましい。
【００４４】
本発明によれば、前述した分散補償制御装置と通信する分散補償装置であって、
制御信号に基づく光信号を分離するサーキュレータ手段と、
制御信号に基づく光信号を電気信号に変換する光−電気変換手段と
を更に有し、
電気信号の制御信号に基づいて分散量を可変設定することを特徴とする。
【００４５】
本発明によれば、波長分割多重送信装置と波長分割多重受信装置との間に接続された光伝送路に、分散補償装置が接続されており、前述した分散補償制御装置が波長分割多重受信装置に接続されているシステムであって、
光伝送路には、ギガビットイーサネット信号又はファイバチャネル信号に基づく光信号と、アナログ放送信号に基づく光信号とが波長分割多重されて伝送されていることを特徴とする。
【００４６】
本発明のシステムにおける他の実施形態によれば、
波長分割多重送信装置と波長分割多重受信装置との間の光伝送路は、現用系光伝送路と予備系光伝送路とによって冗長的に構成されており、
分散補償装置が、予備系光伝送路に接続されている
ことも好ましい。
【００４７】
本発明によれば、制御信号によって分散量を可変設定することができる分散補償装置と通信可能な波長分割多重受信装置に搭載されたコンピュータを機能させる分散補償制御プログラムであって、
アナログ放送信号に基づく光信号における特定周波数成分だけをフィルタリングするフィルタ手段と、
アナログ放送信号に基づく光信号の搬送波レベルに対する、フィルタ手段から出力された受信信号レベルの比を算出するレベル比算出手段と、
レベル比と第１の閾値と差から現差分情報を算出する差分情報算出手段と、
現差分情報を一時的に蓄積し、前差分情報を出力するメモリ手段と、
差分情報算出手段から出力された現差分情報と、メモリ手段から出力された前差分情報とを比較する比較手段と、
現差分情報≦前差分情報の場合に、分散補償装置の分散量を大きくする旨の制御信号を生成する第１の制御信号生成手段と、
現差分情報＞前差分情報の場合に、分散補償装置の分散量を小さくする旨の制御信号を生成する第２の制御信号生成手段と
してコンピュータを機能させることを特徴とする。
【００４８】
本発明の分散補償制御プログラムにおける他の実施形態によれば、
レベル比算出手段から出力されたレベル比が、第２の閾値未満又は以上であるかを判定する閾値判定手段と、
判定結果が、第２の閾値未満であれば、分散量を維持する旨の制御信号を生成する第３の制御信号生成手段と
してコンピュータを更に機能させ、
閾値判定手段は、判定結果が、第２の閾値以上であれば、差分情報算出手段へレベル比を出力するようにコンピュータを機能させることも好ましい。
【００４９】
本発明の分散補償制御プログラムにおける他の実施形態によれば、フィルタ手段は、ラマンクロストーク成分周波数についてフィルタリングすることも好ましい。
【発明の効果】
【００５０】
本発明の分散補償制御装置、システム及びプログラムによれば、データ信号と放送信号とが混在した光伝送路について、ラマンクロストークの影響を容易に低減することができる。
【発明を実施するための最良の形態】
【００５１】
以下では、図面を用いて、本発明を実施するための最良の形態について詳細に説明する。
【００５２】
図８は、本発明におけるシステムの機能構成図である。
【００５３】
分散補償装置１（ＤＣＦadd：Dispersion Compensation Fiber additional）は、制御信号によって分散量を可変設定する機能を有する。図８によれば、図１と比較して、ＷＤＭ受信装置３に接続された分散補償制御装置４を更に有する。尚、分散補償制御装置４と同じ機能を、ＷＤＭ受信装置３自身が備えるものであってもよい。
【００５４】
図８によれば、分散補償制御装置４は、フィルタ部４０１と、搬送波レベル入力部４０２と、レベル比算出部４０３と、閾値判定部４０４と、差分情報算出部４０５と、メモリ部４０６と、比較部４０７と、第１の制御信号生成部４０８と、第２の制御信号生成部４０９と、第３の制御信号生成部４１０とを有する。分散補償制御装置４の機能部は、ＷＤＭ受信装置３に搭載されていてもよい。また、これら機能部は、ＷＤＭ受信装置に搭載されたコンピュータを機能させるプログラムを実行することによっても実現できる。
【００５５】
フィルタ部４０１は、アナログ放送信号の特定周波数成分だけをフィルタリングする。ここでフィルタリングされる周波数成分は、ラマンクロストーク成分周波数である。例えば、図５に基づいて、ラマンクロストーク成分周波数である１８７．５ＭＨｚを中心として、１ＭＨｚの電気信号の周波数成分[dBm]だけを抽出する。抽出された周波数成分は、レベル比較部４０２へ出力される。
【００５６】
搬送波レベル入力部４０２は、送信元（ＷＤＭ送信装置２）におけるアナログ放送信号の搬送波の電気信号入力レベル[dBm]を、レベル比算出部４０３へ出力する。
【００５７】
レベル比算出部４０３は、搬送波レベル入力部４０２から出力された搬送波レベルに対する、フィルタ部４０１から出力された出力レベルのレベル比[dB]を算出する。算出されたレベル比は、閾値判定部４０４へ出力される。
【００５８】
閾値判定部４０４は、レベル比算出部４０３から出力されたレベル比が、第２の閾値（例えば−５２ｄＢ）未満であるか、又はそれ以上であれるかを判定する。閾値判定部４０４は、判定結果が第２の閾値以上であれば、差分情報算出部４０５へそのレベル比を出力する。判定結果が第２の閾値未満であれば、その旨を、第３の制御信号生成部４１０へ通知する。
【００５９】
第３の制御信号生成部４１０は、閾値判定部４０４から出力された判定結果が、第２の閾値未満であれば、分散量を維持する旨の制御信号「分散量維持」を生成する。生成された制御信号は、分散補償装置１へ送信される。
【００６０】
尚、閾値判定部４０４及び第３の制御信号生成部４１０は、分散補償装置１の分散量が常に変動してもよい場合には、必須となる構成要素ではない。
【００６１】
差分情報算出部４０５は、閾値判定部４０４から出力されたレベル比と、第１の閾値との差から、現差分情報を算出する。分散補償装置１の分散量は、第１の閾値のレベル比に近づくように制御されることとなる。第１の閾値としては、クロストークによるノイズ成分が検知外となることを目的として、例えば、以下の文献を参照することもできる。
「有線テレビジョン放送技術者用  法規テキスト（第１級、第２級共通）、第２章、第２６条の４」
この文献によれば、映像信号搬送波レベルと相互変調による電磁波とのレベル差を−５２ｄＢ以下となるように規定しているが、ラマンクロストークによるノイズ成分についても同様であり、この場合の映像搬送波レベルに対するラマンクロストーク成分のレベル差についても同様であり、第１の閾値は、−５２ｄＢに設定することも好ましい。算出された現差分情報は、メモリ部４０６及び比較部４０７へ通知される。
【００６２】
メモリ部４０６は、現差分情報を一時的に蓄積し、前差分情報を出力する。メモリ部４０６は、過去のタイミングで発生した差分情報（前差分情報）を出力する。尚、メモリ部４０６は、初めて現差分情報が差分情報算出部４０５から入力されたとき、前差分情報として０を出力する。
【００６３】
比較部４０７は、差分情報算出部４０５から出力された現差分情報と、メモリ部４０６から出力された前差分情報とを比較する。現差分情報≦前差分情報であれば、その旨を第１の制御信号生成部４０８へ通知する。一方、現差分情報＞前差分情報であれば、その旨を第２の制御信号生成部４０９へ通知する。
【００６４】
第１の制御信号生成部４０８は、現差分情報≦前差分情報であるので、分散補償装置１の分散量を大きくする旨の制御信号「分散量増加」を生成する。生成された制御信号は、分散補償装置１へ送信される。尚、現差分情報と前差分情報との差を大きければ、分散量をより大きくする旨の制御信号を生成することも好ましい。
【００６５】
第２の制御信号生成部４０９は、現差分情報＞前差分情報であるので、分散補償装置１の分散量を小さくする旨の制御信号「分散量減少」を生成する。生成された制御信号は、分散補償装置１へ送信される。尚、現差分情報と前差分情報との差を大きければ、分散量をより小さくする旨の制御信号を生成することも好ましい。
【００６６】
図９は、光伝送路を介して分散補償装置に対する制御信号を転送するシステムの機能構成図である。
【００６７】
図９によれば、図８と比較して、分散補償制御装置４は、第１〜第３の制御信号生成部４０８〜４０９からの出力信号に対して、電気−光変換部４１１と、光変調部４１２とを有し、更に、ＷＤＭ受信装置３は、波長合分波部３２０に変更される。
【００６８】
電気−光変換部４１１は、電気的な制御信号を光信号に変換する。制御信号に基づく光信号は、光変調部４１２によって変調が施される。そして、変調された光信号は、波長合分波部３２０へ転送する。波長合分波部３２０は、制御信号に基づく光信号を、光伝送路へ送信する。
【００６９】
図９によれば、分散補償装置１は、光伝送路を介してＷＤＭ受信装置３から制御信号を受信することができる。分散補償装置１は、サーキュレータ部１０１と、光−電気変換部１０２と、分散量可変部１０３と、分散補償部１０４とを有する。
【００７０】
サーキュレータ部１０１は、光伝送路に接続されており、制御信号に基づく光信号を分離する。具体的には、サーキュレータ部１０１は、第１〜第３のポートの光伝送路に接続され、第１のポートから入力された光信号は、第２のポートへ出力し、第２のポートから入力された光信号は、第３のポートへ出力される。図９によれば、ＷＤＭ送信装置２から受信した光信号は、ＷＤＭ受信装置３へ送信し、ＷＤＭ受信装置３から受信した制御信号に基づく光信号は、光−電気変換部１０２へ送信される。
【００７１】
光−電気変換部１０２は、制御信号に基づく光信号を電気信号に変換する。変換された制御信号は、分散量可変部１０３へ出力される。
【００７２】
分散量可変部１０３は、制御信号の指示を解析し、その指示に基づいて分散補償部１０４の分散量を設定する。
【００７３】
分散補償部１０４は、分散補償制御装置４からの制御信号に応じて、以下の３つの制御がなされる。
（１）「分散量維持」：現在の分散量がそのまま維持される。
（２）「分散量増加」：現状の分散量に２０ｐｓ／ｎｍを加えた値を新規の分散量として設定する。
（３）「分散量減少」：現状の分散量に２０ｐｓ／ｎｍを差し引いた値を新規の分散量として設定する。
【００７４】
以上、詳細に説明したように、本発明の分散補償制御装置、システム及びプログラムによれば、データ信号と放送信号とが混在した光伝送路について、ラマンクロストークの影響を容易に低減することができる。
【００７５】
ラマンクロストークは、伝送路の分散量に大きく依存する。従って、予備系光伝送路に分散補償装置を挿入し、その分散補償装置の分散量を、ＷＤＭ受信装置に接続された分散補償制御装置から制御する。これにより、アナログ放送信号に基づく光信号に対する、ギガビットイーサネット信号（又はファイバチャネル信号）に基づく光信号のラマンクロストークの影響を低減することでき、波形劣化を防ぐことができる。具体的には、ラマンクロストークの影響を受ける特定の周波数成分（例えばＶＨＦ帯の１８７．５ＭＨｚ）について、分散量を調整する。本発明によれば、アナログ放送信号に対するラマンクロストークに起因した映像妨害成分は、検知できなくなるまで低減させることができる。
【００７６】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００７７】
【図１】従来技術におけるメトロエリアネットワークのシステム構成図である。
【図２】ラマンクロストークの原理説明図である。
【図３】ギガビットイーサネット信号のアイドルパターンの波形図である。
【図４】図３の波形に対するＲＦスペクトル図である。
【図５】従来技術における具体的な周波数分布図である。
【図６】ラマンクロストークの影響が大きい場合のスペクトル図である。
【図７】従来技術における具体的な周波数分布図である。
【図８】本発明におけるメトロエリアネットワークのシステム構成図である。
【図９】光伝送路を介して分散補償装置に対する制御信号を転送するシステムの機能構成図である。
【符号の説明】
【００７８】
１  分散補償部
１０１  サーキュレータ部
１０２  光−電気変換部
１０３  分散量可変部
１０４  分散補償部
２  ＷＤＭ送信装置
２０１  ギガビットイーサネット信号用の電気−光変換部
２０２  ギガビットイーサネット信号用の光変調部
２１１  アナログ放送信号用の電気−光変換部
２１２  アナログ放送信号用の光変調部
２２０  波長合波部
３  ＷＤＭ受信装置
３０１  ギガビットイーサネット信号用の光−電気変換部
３０２  ギガビットイーサネット信号用の光復調部
３１１  アナログ放送信号用の光−電気変換部
３１２  アナログ放送信号用の光復調部
３１３  光レベル調整部
３２０  波長分波部
４  分散補償制御装置
４０１  フィルタ部
４０２  搬送波レベル入力部
４０３  レベル比算出部
４０４  閾値判定部
４０５  差分情報算出部
４０６  メモリ部
４０７  比較部
４０８  第１の制御信号生成部
４０９  第２の制御信号生成部
４１０  第３の制御信号生成部
４１１  電気−光変換部
４１２  光変調部
５  メトロエリアネットワーク
５０１  現用系光伝送路
５０２  シングルモードファイバ、ＳＭＦ
５０３  プリ分散補償ファイバ、ＤＣＦ
５１１  予備系光伝送路
５１２  シングルモードファイバ、ＳＭＦ
５１３  プリ分散補償ファイバ、ＤＣＦ
【図１】
2008236480.tif 000003
【図２】
2008236480.tif 000004
【図３】
2008236480.tif 000005
【図４】
2008236480.tif 000006
【図５】
2008236480.tif 000007
【図６】
2008236480.tif 000008
【図７】
2008236480.tif 000009
【図８】
2008236480.tif 000010
【図９】
2008236480.tif 000011